(57)【要約】【課題】籾摺り処理を行う前の生籾の状態で、斑点着色等の被害粒を非破壊的に検出可能な生籾被害粒の非破壊判定方法及びその装置を提供する。【解決手段】籾の一側面に光を照射し、前記籾を透過した透過光から得られる透過光画像を得て、前記透過光画像の平均輝度値及び／又は検出画素数を算出し、前記透過光画像の平均輝度値及び／又は検出画素数を予め設定された閾値と比較して被害粒か否かを判定する方法であるため、生籾の状態で内部の斑点着色粒等の被害粒を非破壊的に判定することが可能である。また、収穫直後或いは流通前に品質判定を行うことにより高品質米を確保することができ、商品の差別化を行うことができる。【選択図】図２
2006201130.tif 000002
【特許請求の範囲】
【請求項１】
籾の一側面に光を照射し、前記籾を透過した透過光から得られる透過光画像を得て、前記透過光画像の平均輝度値及び／又は検出画素数を算出し、前記透過光画像の平均輝度値及び／又は検出画素数を予め設定された閾値と比較して被害粒か否かを判定することを特徴とする生籾被害粒の非破壊判定方法。
【請求項２】
前記透過光画像と前記籾の他側面に光を照射した反射光から得られる反射光画像を得て、前記透過光画像の平均輝度値又は検出画素数と前記反射光画像の平均輝度値又は検出画素数を算出し、前記透過光画像の平均輝度値又は検出画素数と前記反射光画像の平均輝度値又は検出画素数を予め設定された閾値と比較して被害粒か否かを判定することを特徴とする請求項１記載の生籾被害粒の非破壊判定方法。
【請求項３】
籾を載置するステージと、前記ステージの下方に配設され前記籾に光を照射する第１の照射手段と、前記ステージの上方に配設され前記籾に光を照射する第２の照射手段と、前記第１及び第２の照射手段によって照射された前記籾を撮像する際、予め定められた波長域の透過光及び反射光を受光し透過光画像及び反射光画像を撮像する撮像手段と、前記撮像手段から送られる画像データを処理して平均輝度値及び／又は検出画素数を算出し、前記平均輝度値及び／又は検出画素数を予め設定された閾値と比較して被害粒か否かを判定する演算判定部とを備えていることを特徴とする生籾被害粒の非破壊判定装置。
【発明の詳細な説明】
【技術分野】
【０００１】
本発明は、生籾等に対して、正常品である整粒と、不良品である被害粒とを判定する生籾被害粒の非破壊判定方法及びその装置に関する。
【背景技術】
【０００２】
荷受けされた籾をプール処理する現在の共同乾燥施設（以後、共乾施設）においては、籾の外観では検出不可能なカメムシ被害粒等が乾燥機に搬入されている可能性がある。乾燥後の脱ぷ処理ではじめて被害粒玄米の混入が判明し、結果的に荷受け全体の品質を少なからず低下させ、米穀等級の評価が低下する危険性は以前から指摘されている。このことは、共乾施設に被害粒を持ち込んだ少数農家のために地域全体の玄米等級が低く評価されたり、高品質米のブランド化が損なわれたりする事態に直結する。したがって、共乾施設への入荷直後に農家ごとあるいは圃場ごとに被害粒の混入をチェックすることが求められている。
【０００３】
従来の米穀外観品質判定機は、乳白色米，腹白未熟粒，青未熟粒，茶米など全体が着色した玄米粒の検出は可能であるものの、出荷時の等級判定規格で被害粒としてカウントされる虫害粒，斑点粒，部分着色粒，胴割粒，病害粒など局所劣化部分を有する玄米粒の検出は不可能であった。
【０００４】
上述のような局所劣化部分を有する被害粒を検出可能な装置として、例えば特許文献１に開示されている米粒検査装置が知られている。この米粒検査装置は、米粒を載置する米粒載置板と、米粒載置板の一面に対向配設した透過光照射部と、米粒載置板の他の面に対向配設し、透過光検査領域内の米粒の透過光を撮像する透過光撮像部と、透過光撮像部の撮像した撮像画像内の米粒を表す画素の塊内の長手方向の複数領域内の各平均輝度を求める多箇所平均輝度算出部と、多箇所平均輝度算出部の出力する複数の平均輝度のばらつきによって部分着色粒か否かを判別する部分着色粒判別部とを有して構成してある。この装置によれば、玄米等に対して、正常品である整粒と、不良品である青未熟粒，乳白粒，茶米，白死米，青死米，着色粒等に米粒の種類を細かく分類することが可能である。
【特許文献１】特開平１０−１６０６７６号公報
【発明の開示】
【発明が解決しようとする課題】
【０００５】
しかしながら、上記特許文献１等に開示されている従来の米粒検査装置は、出荷前の籾摺り後の玄米に対して、整粒と被害粒とを検査するものであり、共乾施設へ搬入した直後の生籾の状態で籾殻外から簡便に被害粒を判定することができるものではなかった。また、玄米や白米の品質を判定する場合、夾雑物やヌカ等の影響により判定精度が変動するという問題もあった。さらに、特許文献１に記載の実施の形態によれば、多箇所平均輝度算出部は、透過光画像内の長手方向を縦とする米粒を表す画素の塊内の上部，略中央部，及び下部の矩形領域の各領域内の画素の輝度を各々平均して平均輝度を求めているため、前記矩形領域以外の選択されなかった領域に斑点着色が存在する場合、斑点着色粒を検出できないという問題もあった。
【０００６】
そこで、本発明は、上記の問題を解決し、籾摺り処理を行う前の生籾の状態で、斑点着色粒等の被害粒を非破壊的に検出可能な生籾被害粒の非破壊判定方法及びその装置を提供することを目的とする。
【課題を解決するための手段】
【０００７】
本発明における請求項１の生籾被害粒の非破壊判定方法は、籾の一側面に光を照射し、前記籾を透過した透過光から得られる透過光画像を得て、前記透過光画像の平均輝度値及び／又は検出画素数を算出し、前記透過光画像の平均輝度値及び／又は検出画素数を予め設定された閾値と比較して被害粒か否かを判定する方法である。
【０００８】
本発明における請求項２の生籾被害粒の非破壊判定方法は、請求項１において、前記透過光画像と前記籾の他側面に光を照射した反射光から得られる反射光画像を得て、前記透過光画像の平均輝度値又は検出画素数と前記反射光画像の平均輝度値又は検出画素数を算出し、前記透過光画像の平均輝度値又は検出画素数と前記反射光画像の平均輝度値又は検出画素数を予め設定された閾値と比較して被害粒か否かを判定する方法である。
【０００９】
本発明における請求項３の生籾被害粒の非破壊判定装置は、籾を載置するステージと、前記ステージの下方に配設され前記籾に光を照射する第１の照射手段と、前記ステージの上方に配設され前記籾に光を照射する第２の照射手段と、前記第１及び第２の照射手段によって照射された前記籾を撮像する際、予め定められた波長域の透過光及び反射光を受光し透過光画像及び反射光画像を撮像する撮像手段と、前記撮像手段から送られる画像データを処理して平均輝度値及び／又は検出画素数を算出し、前記平均輝度値及び／又は検出画素数を予め設定された閾値と比較して被害粒か否かを判定する演算判定部とを備えて構成される。
【発明の効果】
【００１０】
本発明における請求項１の生籾被害粒の非破壊判定方法によれば、生籾の状態で内部の斑点着色粒等の被害粒を非破壊的に判定することが可能であるため、収穫直後或いは流通前に品質判定を行うことにより高品質米を確保することができ、商品の差別化を行うことができる。また、共同乾燥する前に個別農家の斑点着色被害率を判定することが可能となり、地域全体の減収防止や栽培指導にも大きな効果を発揮することができる。
【００１１】
本発明における請求項２の生籾被害粒の非破壊判定方法によれば、透過光画像及び反射光画像の平均輝度値及び／又は検出画素数を用いることによって、生籾の状態で内部の斑点着色粒等の被害粒を非破壊的に判定することが可能である。
【００１２】
本発明における請求項３の生籾被害粒の非破壊判定装置によれば、生籾の状態で内部の斑点着色粒等の被害粒を非破壊的に判定することが可能な装置を提供できる。また、共同乾燥する前に個別農家の斑点着色被害率を判定することが可能となり、地域全体の減収防止や栽培指導にも大きな効果を発揮することができる。
【発明を実施するための最良の形態】
【００１３】
以下、本発明の生籾被害粒の非破壊判定方法およびその装置の一例について、本発明の好ましい実施形態を、添付する図面を参照しながら説明する。図１は本発明の一実施形態に係る生籾被害粒の非破壊判定装置の構成図である。
【００１４】
図１に示す本発明の生籾被害粒の非破壊判定装置は、特に籾の状態で被害粒（例えば、斑点粒，部分着色粒，虫害粒，胴割粒，病害粒など）を判定するものであるが、籾以外の玄米や白米にも適用可能である。
【００１５】
本発明の生籾被害粒の非破壊判定装置は、生籾米（以下単に籾という）Ｒを載置するステージ１と、籾Ｒの厚さ方向の一側面に光を照射する第１の照射手段２と、籾Ｒの厚さ方向の他側面に光を照射する第２の照射手段３と、第１の照射手段２及び第２の照射手段３によって照射された籾Ｒを撮像する際、予め定められた波長域の透過光及び反射光を受光し透過光画像及び反射光画像を撮像する撮像手段４と、撮像手段４から送られる透過光画像及び／又は反射光画像の平均輝度値及び／又は検出画素数を算出し、平均輝度値及び／又は検出画素数を予め設定された閾値と比較して被害粒か否かを判定する演算判定部５などを備えている。なお、ステージ１，第１の照射手段２，第２の照射手段３，及び撮像手段４は、暗室（遮光空間）内に配置されている。
【００１６】
ステージ１には、籾粒Ｒを載置するための籾粒形状の穴部が複数設けられている。なお、縦５粒×横１０粒を載置可能なステージ１を使用しているが、これに限定されない。
【００１７】
第１の照射手段２は、籾Ｒの載置されたステージ１の下方に設けられており、籾Ｒを下方から籾Ｒの厚さ方向の一側面を照射するための白色光源を有する面発光ライトなどを備えている。また、第２の照射手段３は、光を出射する光源６と、光源６から出射した光源光を投光器７に伝送する一つ以上の光ファイバ８と、ステージ１の上方に設けられ、光ファイバ８から光を受けて籾Ｒの厚さ方向の他側面を照射する一つ以上の投光器７などを有する。なお、光源６としては、可視領域の光を発するものであれば特に限定されず、例えばハロゲンランプ，タングステンランプ，キセノンランプなどが挙げられる。
【００１８】
撮像手段４は、モノクロＣＣＤカメラなどを有し、第２の照射手段３の上方に配設してあり、透過光による透過光画像及び／又は反射光による反射光画像を撮像する。このモノクロＣＣＤカメラには予め定められた波長域の光のみを透過する分光フィルタ（例えば、４８０，５３０，５４０，５５０，５８０，５９０，６１０，６２０，６３０，６４０ｎｍ分光フィルタ）が取り付けられている。
【００１９】
演算判定部５では、撮像手段４からの画像データを取り込み、後述する判別アルゴリズムによって画像処理を行い、透過光画像及び／又は反射光画像の平均輝度値及び／又は検出画素数を算出し、平均輝度値及び／又は検出画素数を予め設定された閾値と比較して被害粒か否かを判定する。また、演算判定部５は、被害粒であると判定された場合、被害粒の計数と排出の電気信号を出す排出部（図示せず）を有している。
【００２０】
ここで、図２を参照して、判別アルゴリズムについて詳細に説明する。判別を行う反射光画像又は透過光画像とそれに対応する反射光画像又は籾Ｒを載置していないステージ１のみの画像の各々の画像データを撮像手段４から受けると、モノクログレーススケール２５６階調に分けられた輝度値を算出する（ステップＳ１）。そして、判別対象領域決定（１）を行う（ステップＳ２）。判別対象領域決定（１）では、背景色を含んだ原画像からステージ１上に載置された複数の籾部を抽出する。例えば、画像処理ソフト（Logical Vision社の「WiT ver7.2」）等を用いて対象画像の始点と終点の座標を指定することにより判別対象領域決定を行うことができる。
【００２１】
次に、マスク画像を作成するために、閾値を設けて反射光画像又は籾Ｒを載置していないステージ１のみの画像を２値化処理する（ステップＳ３）。なお、波長により輝度値が異なるため、波長ごとに適切な閾値を求める。
【００２２】
上述のようにして抽出された２値化画像を用いて、収縮処理を繰り返して画像内に取り込んだ微小なゴミやノイズなどを除去する（ステップＳ４）。そして、白黒反転（１）（ステップＳ５）を行う。白黒反転（１）では、透過光画像の画素の濃度値２５５（白い部分）であるため遮蔽（マスク）されてしまうため、２値化した反射光画像の色を画素の濃度値０（黒い部分）に反転させて、光が透過するようにする。上述のステップＳ１〜Ｓ５の工程でマスク画像を作成する。
【００２３】
次いで、撮像手段４からの反射光画像又は透過光画像の画像データを受けると、モノクログレーススケール２５６階調に分けられた輝度値を算出する（ステップＳ６）。そして、ステップＳ２と同様に判別対象領域決定（１）を行い（ステップＳ７）、画像強度分布の自動均等化を行う（ステップＳ８）。画像強度分布の自動均等化では、供試籾によっては輝度値が低く、被害部分が判別し難いものがあるため画像内の輝度値の分布に基づき、その分布を均等化するような間隔を計算して、自動的に画像のコントラストを強化する操作を行う。
【００２４】
ステップＳ６で得られる反射光画像又は透過光画像は、サンプルによっては輝度値が低く背景と分けられないものや、粒が小さくて周囲から光が漏れてしまうものあるため、マスク処理を行う（ステップＳ９）。マスク処理では、ステップＳ１〜Ｓ５の処理によって作成した反射光画像又は籾Ｒを載置していないステージ１のみの画像のマスク画像を、ステップＳ６〜Ｓ８の処理によって作成された反射光画像又は透過光画像に被せ、籾の部分のみを抽出する。
【００２５】
次いで、検出画素数による判別Ａを行うためには、閾値による２値化を行う（ステップＳ１０）。閾値による２値化では、ステップＳ９でマスク処理を行った画像内の輝度値に対して閾値を設けて２値化し、被害部分を抽出する。なお、波長によって輝度値が異なるため、波長ごとに適切な閾値を求める。そして、抽出した被害部分は画素の濃度値０（黒い部分）であるため、白黒反転（２）（ステップＳ１１）を行い、被害部分を白く表示させる。
【００２６】
白黒反転後、判別対象領域決定（２）を行う（ステップＳ１２）。判別対象領域決定（２）では、一粒毎の値を算出するため、複数の籾粒（ここでは、５０粒）の画像から１粒毎に領域を設定して画像を切り取る。例えば、画像処理ソフト（Logical Vision社の「WiT ver7.2」）等を用いて対象画像の始点と終点の座標を指定することにより判別対象領域決定を行うことができる。
【００２７】
ステップＳ１２で一粒毎に切り取られた後、検出された画素数のカウントを行う（ステップＳ１３）。その結果、抽出画像に予め設定された閾値画素数以上の画素数があると、被害籾であると判定し、判定結果を検出結果として出力する（ステップＳ１４）。
【００２８】
一方、平均輝度値による判別Ｂを行うためには、ステップＳ１２と同様に判別対象領域決定（２）を行う（ステップＳ１５）。そして、各輝度値に対して、一粒毎の画像全体で同じ輝度値を有する画素数を算出しグラフ化して、ヒストグラム化する（ステップＳ１６）。
【００２９】
ステップＳ１６で得られたヒストグラムから輝度値の合計を求め、一粒の画素数で割って輝度値の平均を算出する（ステップＳ１７）。その結果、抽出画像に予め設定された閾値輝度値以下の平均輝度値があると、被害粒であると判定し、判定結果を検出結果として出力する（ステップＳ１８）。
【００３０】
上述のようにして、被害粒（籾）であると判定されると、制御部（図示せず）では、例えば、被害粒検出信号を排出部（図示せず）に送出する。
【００３１】
次に、上記のように構成された生籾被害粒の非破壊判定装置について、その動作を説明する。まず、透過光による透過光画像の平均輝度値及び／又は検出画素数により被害粒であるか否かを判定する場合、第１の照射手段２のみの電源スイッチ（図示せず）をオンにし、第２の照射手段３の電源スイッチ（図示せず）はオフの状態のままである。次いで、前述したマスク画像を作成する。なお、マスク処理に使用する透過光画像は、籾Ｒを載置していない状態のステージ１のみの画像である。撮像手段４より透過光画像の画像データを受ける（ステップＳ１）と演算判別部５で、順に、判別対象領域決定（１）、閾値による２値化、収縮処理、白黒反転（１）処理を行う（ステップＳ２〜５）。マスク画像を作成した後、ステージ１上に籾Ｒを載置する。第１の照射手段２から照射された光は籾Ｒを透過して透過光となり、この透過光を受けて透過光画像を撮像手段４にて得、判別対象領域決定（１）、画像強度分布の自動均等化を行う（ステップＳ６〜８）。そして、撮像手段４から送られる透過光画像の検出画素数は、マスク処理（ステップＳ９）を経て、順に、閾値による２値化、白黒反転（２）、判別対象領域決定（２）、画素数のカウント（ステップＳ１０〜１３）を経て得られる。画素数のカウント結果により、予め設定された閾値画素数を比較して被害籾であるか否かを判定し検出結果（ステップＳ１４）を出す。一方、撮像手段４から送られる透過光画像の平均輝度値は、マスク処理（ステップＳ９）を経て、順に、判別対象領域決定（２）、ヒストグラム化、平均輝度値の算出（ステップＳ１５〜１７）を経て算出される。平均輝度値の算出結果により、予め設定された閾値輝度値を比較して被害籾であるか否かを判定し検出結果（ステップＳ１８）を出す。
【００３２】
次に、透過光画像の平均輝度値又は検出画素数と反射光画像の平均輝度値又は検出画素数により被害粒であるか否かを判定する場合、透過光画像の平均輝度値又は検出画素数は上述のように得ることができる。一方、反射光画像の平均輝度値又は検出画素数を得るには、第１の照射手段２の電源スイッチ（図示せず）をオフにし、第２の照射手段３の電源スイッチ（図示せず）をオンにする。その後の処理操作は、上述の透過光画像の平均輝度値又は検出画素数を得る方法と同様の方法により得ることができる。透過光画像の平均輝度値又は検出画素数と反射光画像の平均輝度値又は検出画素数の算出結果より、予め設定された閾値輝度値／画素数を比較して被害籾であるか否かを判定し検出結果を出す。
【００３３】
次に、被害粒を判別するための上記閾値を設定する方法について説明する。
【００３４】
平均輝度値又は検出画素数の算出結果によって整粒と被害粒を判別するためには、整粒と被害粒の特徴を抽出し、閾値を決定する必要がある。なお、平均輝度値による判別は、整粒が半透明であるのに対して、被害粒の被害部分は着色により不透明であるので光の透過率は低くなっており、その結果、被害部分の輝度値はその他の部分より低くなるため、１粒毎の平均輝度値を比較することにより被害粒と整粒を判別できるものである。また、検出画素数による判別は、被害粒や未熟粒は被害部分の輝度値が低くなっており、輝度値の低い部分は画像上で周辺よりも黒く写るため、閾値を設けて２値化し、被害部分に相当する輝度値の部分とその他の部分とに分け、そして抽出した部分の画素数をカウントし、被害粒と整粒を判別できるものである。また、本発明の判定方法では、平均輝度値、検出画素数、又は平均輝度値と検出画素数を用いて判定を行う。
【００３５】
そこで、透過光画像の平均輝度値又は検出画素数と反射光画像の平均輝度値又は検出画素数を求めた。なお、籾は、整粒とカメムシ被害粒を無作為に混合したものを用い、実験終了後、籾を脱ぷ処理し、斑点着色被害粒等の有無を調べ整粒または被害粒であることを確認した。
【００３６】
図３に、透過光画像の平均輝度値（５８０ｎｍ）と検出画素数（６３０ｎｍ）の散布図を示す。図３に見られるように、整粒と被害粒とに分かれる閾値を設けることができることがわかる。さらに、透過光画像の平均輝度値（６１０ｎｍ）と平均輝度値（６３０ｎｍ）、透過光画像の平均輝度値（６３０ｎｍ）と平均輝度値（６３０ｎｍ）、透過光画像の検出画素数（５５０ｎｍ）と検出画素数（６１０ｎｍ）、透過光画像の検出画素数（６２０ｎｍ）と検出画素数（６３０ｎｍ）、透過光画像の平均輝度値（５３０ｎｍ）と反射光画像の平均輝度値（６１０ｎｍ）、などの種々の波長における散布図を作成し閾値を設けたところ、使用波長が５３０〜６３０ｎｍの範囲内の単独波長において高い判別率を示した。
【００３７】
本発明によれば、上記に詳述したように次のような作用効果を奏する。
【００３８】
本実施形態の生籾被害粒の非破壊判定方法によれば、籾Ｒの一側面に光を照射し、籾Ｒを透過した透過光から得られる透過光画像を得て、前記透過光画像の平均輝度値及び／又は検出画素数を算出し、前記透過光画像の平均輝度値及び／又は検出画素数を予め設定された閾値と比較して被害粒か否かを判定する方法であるため、生籾の状態で内部の斑点着色粒等の被害粒を非破壊的に判定することが可能である。また、収穫直後或いは流通前に品質判定を行うことにより高品質米を確保することができ、商品の差別化を行うことができる。さらに、共同乾燥する前に個別農家の斑点着色被害率を判定することが可能となり、地域全体の減収防止や栽培指導にも大きな効果を発揮することができる。
【００３９】
本実施形態の生籾被害粒の非破壊判定方法によれば、前記透過光画像と籾Ｒの他側面に光を照射した反射光から得られる反射光画像を得て、前記透過光画像の平均輝度値又は検出画素数と前記反射光画像の平均輝度値又は検出画素数を算出し、前記透過光画像の平均輝度値又は検出画素数と前記反射光画像の平均輝度値又は検出画素数を予め設定された閾値と比較して被害粒か否かを判定する方法であるため、生籾の状態で内部の斑点着色粒等の被害粒を非破壊的に判定することが可能である。また、共乾施設で乾燥前の生籾の状態で被害粒判定が可能となり、乾燥前に等級を揃え、農家ごと圃場ごとに栽培管理等の適切な指導を行うことができる。
【００４０】
本実施形態の生籾被害粒の非破壊判定装置によれば、籾Ｒを載置するステージ１と、ステージ１の下方に配設され籾Ｒに光を照射する第１の照射手段２と、ステージ１の上方に配設され籾Ｒに光を照射する第２の照射手段３と、第１及び第２の照射手段２，３によって照射された籾Ｒを撮像する際、予め定められた波長域の透過光及び反射光を受光し透過光画像及び反射光画像を撮像する撮像手段４と、撮像手段４から送られる画像データを処理して平均輝度値及び／又は検出画素数を算出し、前記平均輝度値及び／又は検出画素数を予め設定された閾値と比較して被害粒か否かを判定する演算判定部５とを備えて構成されるので、生籾Ｒの状態で内部の斑点着色粒等の被害粒を非破壊的に判定することが可能な装置を提供できる。また、共同乾燥する前に個別農家の斑点着色被害率を判定することが可能となり、地域全体の減収防止や栽培指導にも大きな効果を発揮することができる。
【００４１】
なお、本発明は上記実施形態に限定されるものではなく、本発明の要旨の範囲内において種々の変形実施が可能であり、例えば、ステージ１を搬送部（例えば、搬送ローラコンベアなど）上に備え、連続的に被害粒を判別できるようにしてもよい。
【００４２】
以下に本発明の実施例によって、本発明を詳細に説明するが、本発明はこれらの実施例によりなんら制限されるものではない。
【実施例１】
【００４３】
上記実施形態に記載の生籾被害粒の非破壊判定装置を用いて、被害粒であるか否かの判別を行った。また、籾の含水率が１０〜２０％、２０〜３０％、３０％以上に分けた場合の整粒と被害粒の判別率を求めた。なお、籾の水分測定には、赤外線水分計により測定した。５３０ｎｍ（透過光画像の平均輝度値）−６３０ｎｍ（透過光画像の平均輝度値）における水分別の判別率を表１に示す。
【００４４】
【表１】
2006201130.tif 000003
【００４５】
表１より、整粒と被害粒とを高い判別率で判別可能なことがわかる。また、籾の含水率が上昇するほど判別率が上がる傾向がみられ、この結果より収穫直後のような高い含水率の状態の籾においても、被害粒か否かを判別することが可能である。
【図面の簡単な説明】
【００４６】
【図１】本発明の一実施形態における生籾被害粒の非破壊判定装置の構成図である。
【図２】本発明の一実施形態における判別のフローチャートである。
【図３】本発明の一実施形態における透過光画像の平均輝度値（５８０ｎｍ）と検出画素数（６３０ｎｍ）の散布図を示す。
【符号の説明】
【００４７】
１    ステージ
２    第１の照射手段
３    第２の照射手段
４    撮像手段
５    演算処理手段
Ｒ    生籾
【図１】
2006201130.tif 000004
【図２】
2006201130.tif 000005
【図３】
2006201130.tif 000006